【手続補正書】
【提出日】平成23年5月9日(2011.5.9)
【手続補正１】
【補正対象書類名】明細書
【補正対象項目名】００３７
【補正方法】変更
【補正の内容】
【００３７】
したがって、１つ以上の式（Ｉ）のエポキシ官能性アルコキシシランを、個別に、あるいは、式（ＩＩ）もしくは（ＩＩＩ）の他のエポキシド化合物ならびにラクトン（ＩＶ）、環状無水物（Ｖ）、（ＶＩ）、二酸化炭素もしくはオキセタンなどの任意選択の他のコモノマーとの混合物で、ブロックの形態でまたはランダムな形で、少なくとも１個の反応性水素を有する式（ＶＩＩ）の連鎖開始剤
Ｒ１−Ｈ
（ＶＩＩ）
（式中、Ｒ１は、飽和もしくは不飽和の任意選択で分枝鎖の基であるか、炭素鎖が酸素原子によって介在されていてよいアルコキシ、アリールアルコキシまたはアルキルアリールアルコキシ基型のポリエーテル基であるか、あるいは、ポリエーテルアルコキシ基または単一もしくは複数縮合フェノール基に相当する）
に加える、ＤＭＣ触媒反応による架橋性アルコキシシリル基を有するポリエーテルアルコールを調製する方法を提供する。少なくとも１つのエポキシ基を有するアルコキシシランモノマーを、改変ポリマー鎖中に所望のように分散させることができ、あるいは改変ポリマー構造中の鎖の末端位置に配置することができる。
【手続補正２】
【補正対象書類名】明細書
【補正対象項目名】００４６
【補正方法】変更
【補正の内容】
【００４６】
【化４】
2009197232.tif 000001
（式中、
Ｒ４は、エーテルもしくはエステル官能基を介するか、または芳香族もしくは脂環式基を介して、１〜２４個の炭素原子の直鎖もしくは分枝鎖アルキル基と結合しているグリシジルオキシプロピル基であり、
少なくとも１つのグリシジルオキシプロピル基は、任意選択で式（ＩＩ）のアルキレンオキシドに加えて、式（Ｉ）に記載のエポキシ官能性アルコキシシランと組み合わせて、エーテルまたはエステル官能基Ｒ４を介して１〜２４個の炭素原子を有する直鎖もしくは分枝鎖アルキル基、芳香族または脂環式基と結合され、Ｒ２は、式（ＩＩ）で与えられるものと同じ定義を有する。この部類の化合物には、例えば、アリルグリシジルエーテル、ブチルグリシジルエーテル、２−エチルヘキシルグリシジルエーテル、シクロヘキシルグリシジルエーテル、ベンジルグリシジルエーテル、Ｃ１２／Ｃ１４−脂肪族アルコールグリシジルエーテル、フェニルグリシジルエーテル、ｐ−ｔｅｒｔ−ブチルフェニルグリシジルエーテルまたはｏ−クレシルグリシジルエーテルが含まれる。使用するのに好ましいグリシジルエステルは、例えばグリシジルメタクリレート、グリシジルアクリレートまたはグリシジルネオデカノエートである。同様に、多官能性エポキシド化合物、例えば１，２−エチルジグリシジルエーテル、１，４−ブチルジグリシジルエーテルまたは１，６−ヘキシルジグリシジルエーテルも用いることができる。
【手続補正３】
【補正対象書類名】明細書
【補正対象項目名】００４８
【補正方法】変更
【補正の内容】
【００４８】
【化５】
2009197232.tif 000002
（式中、
ｎは２〜８の整数であり、Ｒ７およびＲ８は、それぞれ独立して、水素またはアルキル、アルコキシ、アリールもしくはアラルキル基であり、これらは開環重合して架橋性アルコキシシラン基含有ポリエーテルエステルをもたらす）との混合物で、ＤＭＣ触媒によるアルコキシル化の条件下で共重合させることができる。この関連で用いられる適切なラクトンは、例えばε−カプロラクトン、δ−バレロラクトンおよびγ−ブチロラクトン、ならびに異なるラクトンの混合物であってよい。コモノマーとしてε−カプロラクトンを用いることが好ましい。アルコキシル化プロセスの際、式（Ｉ）〜（ＩＶ）の特定のエポキシおよびラクトンモノマーは、単独で、あるいは互いの混合物で、任意の順序かつ可変量で逐次的にまたは同時並行的に共重合して、ブロックの配列またはランダムに分布した配列の個々のモノマー単位を有するポリエーテルエステルを得ることができる。
【手続補正４】
【補正対象書類名】明細書
【補正対象項目名】００５０
【補正方法】変更
【補正の内容】
【００５０】
【化６】
2009197232.tif 000003
（式中、Ｒ９、Ｒ１０、Ｒ１１およびＲ１２は、それぞれ独立して、水素、またはアルキル、アルケニル、アルコキシ、アリールもしくはアラルキル基である。炭化水素基は、断片Ｚ（Ｚは二価アルキレン基であってもアルケニル基であってもよい）を介して脂環的または芳香族的に架橋されていてよい。好ましく使用される環状無水物は、無水コハク酸、オクチル（オクテニル）−、デシル（デセニル）−およびドデシル（ドデセニル）無水コハク酸、無水マレイン酸、無水フタル酸、ヘキサヒドロ−、テトラヒドロ−、ジヒドロ−、メチルヘキサヒドロ−およびメチルテトラヒドロ無水フタル酸である。アルコキシル化プロセスの際、式（Ｖ）および（ＶＩ）の特定の無水物モノマーは、単独で、あるいは互いの混合物で、任意の順序かつ可変量で逐次的にあるいはエポキシドの供給と同時並行的に、開環を伴って共重合してポリエーテルエステルを得ることができる。式（Ｖ）および（ＶＩ）の無水物の混合物を用いることもできる。）
【手続補正５】
【補正対象書類名】明細書
【補正対象項目名】００５１
【補正方法】変更
【補正の内容】
【００５１】
二酸化炭素の存在下で、エポキシ官能性アルコキシシランのアルコキシル化（任意選択で、（ＩＩ）もしくは（ＩＩＩ）型のさらなるエポキシド化合物、および／または（ＩＶ）、（Ｖ）および／または（ＶＩ）によるコモノマーの存在下で）を行う場合、ポリマー鎖の中に二酸化炭素を挿入することによって、カーボネート基改変ポリエーテルまたはポリエーテルエステルを調製することができる。そのような反応は、オートクレーブ反応器中、高圧下、二酸化炭素雰囲気下で行うことが好ましい。カーボネート含量は変えることができ、例えば、反応の際の温度と圧力条件を選択することによって制御することができる。
【手続補正６】
【補正対象書類名】明細書
【補正対象項目名】００５２
【補正方法】変更
【補正の内容】
【００５２】
アルコキシル化反応に用いる出発物質または出発化合物は、式（ＶＩＩ）のすべての化
合物であってよい
Ｒ１−Ｈ
（ＶＩＩ）
（Ｈは、アルコールまたはフェノール系化合物のＯＨ基に属するものである）。これらは単独でも、また少なくとも１つの反応性ヒドロキシル基を有する式（ＶＩＩ）による互いの混合物であってもよい。Ｒ１は、飽和もしくは不飽和の任意選択で分枝鎖の基に相当するか、または炭素鎖が酸素原子によって介在されていてよいアルコキシ、アリールアルコキシもしくはアルキルアリールアルコキシ基型のポリエーテル基であるか、あるいはＲ１は、ポリエーテルアルコキシ基、またはフェノール系ＯＨ基が直接結合している単一もしくは複数縮合（singularly or multiply fused）芳香族基である。アルコキシ、アリールアルコキシまたはアルキルアリールアルコキシ基を有し、出発化合物として使用できるポリエーテル基の鎖長は、自由に調節することができる。ポリエーテル、アルコキシ、アリールアルコキシまたはアルキルアリールアルコキシ基は、好ましくは１〜１５００個の炭素原子、より好ましくは２〜３００個の炭素原子、特に２〜１００個の炭素原子を含む。
【手続補正７】
【補正対象書類名】明細書
【補正対象項目名】００７４
【補正方法】変更
【補正の内容】
【００７４】
本発明の対象は、式（ＩＩＩ）
【化７】
2009197232.tif 000004
のアルコキシシランポリエーテルである。
【手続補正８】
【補正対象書類名】明細書
【補正対象項目名】００８４
【補正方法】変更
【補正の内容】
【００８４】
式（ＶＩＩＩ）の化合物においては指数ｅ〜ｊの少なくとも１つが１以上である場合に有利であり得る。また、Ｒ１がポリエーテル断片であり、指数ｅ〜ｊの少なくとも１つが１以上であり、指数ｄを有する断片が末端ではない式（ＶＩＩＩ）の化合物が好ましい。